(57)【特許請求の範囲】
【請求項１】
雄部とバンド部と雌部をこの順序で熱可塑性樹脂によって一体的に成形し、貫通孔を備えた識別板を前記雄部と前記雌部の間に狭持して一体化する止め具であって、
前記雄部は、皿状台板と該皿状台板の雌部との合面側の中央部にキノコ状を模した突出部と、該突出部の周囲であって等距離に配置された複数の係止部を設け、
前記雌部は、前記雄部の皿状台板と合面を持つ皿状台板と、前記突出部が挿嵌される挿入孔と、挿入孔の内部に少なくとも３つの係合爪を設け、
前記係止部を前記識別板の貫通孔の縁に係止し、前記識別板を固定し、
前記係合爪を前記突出部に形成された係合部の下端と係合するように構成されていることを特徴とする止め具。
【請求項２】
前記雌部は挿入孔の外側に溝を設け、
前記溝は前記雄部に設けられた係止部を覆い、係止部を遮蔽するように構成され、
前記雄部の突出部は下から支柱と係合部と空間閉鎖部の順で形成され、
前記空間閉鎖部は前記挿入孔よりも小さく、前記支柱よりも大きく形成され、係合した前記係合爪を略遮蔽するように構成されていることを特徴とする請求項１記載の止め具。
【請求項３】
前記止め具は前記係止部を前記雄部又は雌部のどちらか一方に２つ以上設け、
前記溝を前記係止部が設けられていない前記雄部又は前記雌部に設け、
前記係止部は前記識別板と係止することを特徴とする請求項１または２記載の止め具。
【請求項４】
前記識別板は平板状に形成され、貫通孔を備え、前記貫通孔の縁が前記係止部と係止するように構成され、
内部にＩＣチップとアンテナを有し、
または、前記識別板の表裏面は文字や記号を表示できるよう形成される、
もしくはその両方を特徴とする請求項１乃至３記載の止め具。
【発明の詳細な説明】
【技術分野】
【０００１】
本発明は、商品の管理などに使用する識別板とそれを取り付けるための止め具に関する。
【背景技術】
【０００２】
近年遺伝子組み換え作物の登場や有機農産物への関心の高まり、産地偽装問題などの発生に伴って、食品分野でのトレーサビリティ（蟹などの魚介類や果物などの原産地や加工地、加工時間などを追跡確認できるシステム）が注目されている。トレーサビリティを実現するために生産段階から廃棄段階まで追跡可能なＩＣタグなどの識別板（以下、ＩＣタグ）が必要となる。
【０００３】
消費者は商品に取り付けられたＩＣタグの情報を読み取ることで、商品の捕獲や生産、加工の場所、日時、担当者など、商品に係わる情報を得ることが出来、安心して商品を購入、消費することができる。また、商品に取り付けられたＩＣタグにより生産者側はデータによる商品の管理が容易となる。
【０００４】
消費者側、生産者側の両観点から必要不可欠になりつつあるＩＣタグではあるが、その取り付けには様々な取り付け方法が提案されている。
【０００５】
例えば特許文献１の発明は、止め具の折れ曲がり部に連結部を介してＩＣタグを一体成形によって連結したものである。しかし、ＩＣタグが分離し易く、食品などの様々な商品に利用することができない。
【０００６】
特許文献２の発明は、ＩＣタグをバンドに埋め込むものである。ＩＣタグとバンドが分離しにくくなっているが、ＩＣタグをバンドに埋め込むための製造過程が複雑であり、且つ製造コストが非常に掛かってしまう。また、射出圧、高熱に耐えることのできるＩＣタグは高価で、コストがより掛かってしまう。更にバンドにＩＣタグを埋め込むことで、バンドの柔軟性が損なわれてしまう。
【０００７】
特許文献３の発明は、上記バンドの柔軟性の問題を解決するためのものである。ＩＣタグをバンドに熱収縮チューブを用いて一体化する。しかし、バンドにＩＣタグが取り付けられることには変わりなく、バンドの柔軟性損失を解消したとはいえない。また、特許文献３の発明も製造過程が複雑であり、製造コストが掛かってしまう問題は同様である。
【０００８】
識別板を取り付ける止め具の問題点は第１に識別板が、識別板とバンドの一体化の問題と、バンドの柔軟性損失の問題によって、商品から分離してしまうことである。識別板が外れてしまうと商品の管理が出来ず、また偽造も容易に出来てしまう。
【０００９】
第２に、上記問題点を解決するための製造にコストと手間が掛かることである。識別板は商品一つ一つに取り付けなければならず、識別板と取り付けのための止め具は大量にかつ安価に生産できることが望ましい。
【先行技術文献】
【特許文献】
【００１０】
【特許文献１】特開２００５−１９０１７３号公報
【特許文献２】特開２００７−８４９８号公報
【特許文献３】特開２００８−３３７０６号公報
【発明の概要】
【発明が解決しようとする課題】
【００１１】
本発明は、上記の問題を鑑みてなされたものであり、その目的は、取り付けバンドと識別板が別々に製造され、両者が物理的に固定され、またバンドが柔軟性を失わずに様々な商品への取り付けが可能となる識別板止め具を実現することにある。さらに前述の目的を果たしつつ、大量に生産される識別板止め具の製造を容易かつ低コストにすることである。併せて封緘機能も有する。
【課題を解決するための手段】
【００１２】
上記の目的を達成するための本発明に係る識別板止め具は、雄部とバンド部と雌部をこの順序で熱可塑性樹脂によって一体的に成形し、貫通孔を備えた識別板を前記雄部と前記雌部の間に狭持して一体化する止め具であって、前記雄部は、皿状台板と該皿状台板の雌部との合面側の中央部にキノコ状を模した突出部と、該突出部の周囲であって等距離に配置された複数の係止部を設け、前記雌部は、前記雄部の皿状台板と合面を持つ皿状台板と、前記突出部が挿嵌される挿入孔と、挿入孔の内部に少なくとも３つの係合爪を設け、前記係止部を前記識別板の貫通孔の縁に係止し、前記識別板を固定し、前記係合爪を前記突出部に形成された係合部の下端と係合するように構成されていることを特徴とする。
【００１３】
この構成により、識別板を止め具の雄部に取り付けることができ、且つ識別板は係止部による係止と、雄部と雌部に狭持されるため、外れることがない。また、バンド部が柔軟性を失わないため、様々な商品に取り付けることができる。さらに、識別板の装着が容易であり、製造コストの削減、及び作業の簡略化が図れる。
【００１４】
加えて、本発明の識別板止め具は雄部の係合部と雌部の係合爪の係合は外すことが難しく、識別板を外すには止め具を破壊するしかなく、従って本発明に係る止め具は封緘具としての機能も有している。
【００１５】
また本発明の止め具において、前記雌部は挿入孔の外側に溝を設け、前記溝は前記雄部に設けられた係止部を覆い、係止部を遮蔽するように構成され、前記雄部の突出部は下から支柱と係合部と空間閉鎖部の順で形成され、前記空間閉鎖部は前記挿入孔よりも小さく、前記支柱よりも大きく形成され、係合した前記係合爪を略遮蔽するように構成されていることを特徴とする。
【００１６】
この構成により、識別板の係止、及び雄部と雌部の係合がそれぞれ遮蔽、略遮蔽されることで、より識別板を外すことが難しくなる。一度止め具を取り付ければ、識別板は止め具を破壊しなければ外れることがなく、商品を安全に管理することができ、また、封緘機能も備えている。
【００１７】
さらに本発明の止め具において、前記止め具は前記係止部を前記雄部又は雌部のどちらか一方に２つ以上設け、前記溝を前記係止部が設けられていない前記雄部又は前記雌部に設け、前記係止部は前記識別板と係止することを特徴とする。
【００１８】
最後に本発明の止め具において、前記識別板は平板状に形成され、貫通孔を備え、前記貫通孔の縁が前記係止部と係止するように構成され、内部にＩＣチップとアンテナを有し、または、前記識別板の表裏面は文字や記号を表示できるよう形成される、もしくはその両方を特徴とする。
【００１９】
この構成により、本発明の識別板止め具はさまざまな形で商品の情報を提示することができる。ＩＣチップによる管理だけではなく、識別板の表裏に形成された文字や記号によ
り、商品の情報を目視のみで確認することも可能になる。
【発明の効果】
【００２０】
本発明によれば、第１に識別板の固定が、止め具の雄部に設けられた係止部で止め具に固定され、さらに止め具を取り付けた際には止め具の雄部、雌部によって狭持されるため二重の固定となり、識別板が商品から外れない止め具を提供できる。
【００２１】
第２に識別板を係止する係止部が外部から完全に遮蔽された状態のため、係止部を操作し識別板を外すことができない。また、雄部の係合部と係合している雌部の係合爪が、雄部の空間閉鎖部により略遮蔽しており、係合を外すことが難しい。
【００２２】
以上のことから、識別板を改竄目的で交換しようとしても、止め具を破壊するしか、識別板を外す方法はなく、商品の情報の偽造などを防ぐことができる。
【００２３】
第３に止め具の雄部、又は雌部に係止部を設けたことにより、バンド部は本来の動作を損なわずに動作することが出来る。そのため、対象物にしっかりと取り付けることができ、また、バンドの長さを対象物に合わせた長さにすれば、どのような対象物にも取り付けることができる。また、バンドを商品の周囲に２回以上巻き付けて締め付けを確実にすることができる。
【００２４】
最後に識別板と止め具を別々に製造した後、各々を装着する工程が非常に単純な作業で装着できるため、作業の簡略化を達成できる。また、装着の際に別途収縮チューブや接着材などを必要としないため、従来の装着方法とくらべコストダウンを実現することができる。
【図面の簡単な説明】
【００２５】
【図１】本発明に係る実施の形態の止め具を示した平面図である。
【図２】本発明に係る実施の形態の止め具を示した背面図（Ａ）とバンド部のＩＩ−ＩＩの断面図（Ｂ）である。
【図３】本発明に係る実施の形態の止め具の雄部（ＩＩＩ−ＩＩＩ）を示した側面図である。
【図４】本発明に係る実施の形態の止め具の雌部（ＩＶ−ＩＶ）を示した側面図である。
【図５】本発明に係る実施の形態の止め具の雌部のＶ−Ｖの断面図である。
【図６】本発明に係る実施の形態の識別板を示した平面図である。
【図７】本発明に係る実施の形態の止め具に識別板を装着した状態を示した断面図である。
【図８】本発明に係る実施の形態の止め具に識別板を装着し、雄部を雌部に挿嵌した状態を示した断面図である。
【図９】本発明に係る実施の形態の止め具を実際に商品に取り付けた図である。
【発明を実施するための形態】
【００２６】
以下、本発明に係る実施の形態の止め具について、図面を参照しながら説明する。
【００２７】
本発明は止め具１と、貫通孔４ｃを有し、ＩＣタグを内蔵した識別板からなる。
【００２８】
止め具１は、図１で示すように雄部２とバンド部５と雌部３の順に合成樹脂素材（ポリエチレン、ポリプロピレン、ポリアミド等の工業用樹脂）で一体成形される。そのため、適度な柔軟性を持ち、止め具１を取り付けの際、商品にしっかりと密着させることができる。
【００２９】
バンド部５は、図２（Ｂ）で示すように、その断面は全体が平板状で中央にかまぼこ型の突起５ａが突出した形状である。突起５ａはバンド部５に適度な柔軟性を持ったまま、使用中にバンド部５が大きく変形することがないように補強する役割をもつ。また突起５ａは一方向へのバンド部５の曲げを実現するため、これを表側にすることにより、取り付けの際に逆向きの取り付けを防止する。
【００３０】
雄部２は、図３で示すように、皿状の台板２ａ、キノコ状を模した突出部２ｂ、その周りに識別板４を装着する係止部２ｆ、及び２ｇを有する。係止部２ｆ、２ｇは識別板を装着するために少なくとも２つ設ける。
【００３１】
突出部２ｂは空間閉鎖部２ｃと係合部２ｄ、支柱２ｅを有する。円板状の空間閉鎖部２ｃの直径は、図４で示す、雌部３の挿入孔３ｂの直径よりも小さく、支柱２ｅの直径より大きい。係合部２ｄの直径は支柱２ｅの直径よりも太く、雌部３の挿入孔３ｂの直径と略等しい、又は一回り小さい。
【００３２】
係止部２ｆ、２ｇは台板２ａに垂直方向に設けられる。それぞれ係止部２ｆ、２ｇは、図３で示すように、雄部の中心からみて、外側に突出した角２ｆ１、２ｇ１を有する。角２ｆ１、２ｇ１の下端と台板２ａとの長さ２ｈは、図７から分かるように識別板４の厚みとほぼ同等の高さを有している。
【００３３】
雌部３は、図１及び図４で示すように、皿状の台板３ａ、中心に挿入孔３ｂとその内壁に結合爪３ｃ、３ｄ、３ｅと挿入孔３ｂの外側に円環状の溝３ｆを有する。挿入孔３ｂは台板３ａの中心に位置し、台板３ａを貫通している。
【００３４】
係合爪３ｃ、３ｄ、３ｅの先端の内周は雄部２の支柱２ｅの外周よりも大きく、雄部２の係合部２ｄの外周よりも小さい。係合爪３ｃ、３ｄ、３ｅは、図５で示すように、断面が釣針状の形状を有している。この係合爪を少なくとも３つ設けることで、係合状態がバランスして外れにくくなる。
【００３５】
溝３ｄは雌部に円環状に設けられ、図５で示すように、断面が雄部２の係止部２ｆ、２ｇを覆う形状をしており、図８で示すように止め具を挿嵌した際に係止部２ｆ、２ｇを覆い、外部との接触を防いでいる。
【００３６】
識別板４は平板状に形成され、図６で示すように、識別板４は内部にＩＣチップ４ａとアンテナ４ｂと中心部に貫通孔４ｃを有している。雄部２の係止部２ｆ、２ｇの角２ｆ１、２ｇ１が貫通孔４ｃの縁に係止する。
【００３７】
実施例では海産物（蟹のハサミの付け根のずれ落ちない位置など）に取り付けを想定しており、その場合止め具１の全体の長さを８０ｍｍから１２０ｍｍ、雄部２及び雌部３の直径を１０ｍｍから１５ｍｍ、バンド５の厚さを０．５ｍｍから１．５ｍｍとし、雄部２と雌部３を係合した中心部の高さを５ｍｍから１０ｍｍとした。識別板４は海産物に取り付けを行うために最適な大きさ形状として、直径を２５ｍｍから３０ｍｍの円形、厚さを１．５ｍｍから２ｍｍの円形とした。また、貫通孔４ｃの直径を５ｍｍから１０ｍｍの円形とした。
【００３８】
実際に止め具１を取り付ける手順は、先ず図７で示すように、識別板４の貫通孔４ｃの縁を雄部２の係止部２ｆ、２ｇに係止する。次に図８で示すように識別板４を装着した雄部２を雌部３に挿嵌する。そして、雄部２の係合部２ｄと雌部３の係合爪３ｃ、３ｄ、３ｅが係合される。
【００３９】
上記係合状態の結果、図８で示すように、雄部２の空間閉鎖部２ｃが係合部２ｄと係合爪３ｃ、３ｄ、３ｅの係合を外部から略遮蔽する蓋の役割をするため、係合部をいじることが難しい。また、雄部２の空間閉鎖部２ｃと雌部３の挿入孔３ｂの隙間に針金のような細いものを差し込んでも係合爪３ｃ、３ｄ、３ｅを外側に同時に広げなければ、係合を解放することができない、いわゆる封緘状態を構成している。
【００４０】
図８で示すように、雄部２の係止部２ｆ、２ｇから外側の部分と雌部３の溝３ｆから外側の部分がそれぞれ識別板４を狭持している。また、雄部２に設けた識別板４を係止する係止部２ｆ、２ｇは外部から遮蔽された状態のため、識別板４を係止している係止部２ｆ、２ｇを外部から動作させることはできない。
【００４１】
つまり、識別板４を止め具１から外すには止め具１を破壊するしかなく、止め具１は封緘具としての役割も果たす。
【００４２】
尚、実施例では係止部２ｆ、２ｇを雄部２に設け、溝３ｆを雌部３に設けたが、それぞれを互いにもう一方に設けることもできる。
【００４３】
雄部２、雌部３の形状及び、識別板４の形状は貫通孔４ｃさえ有すならば、円形である必要はなく、多角形でも、台形でも、その他使用者が識別板４毎に区別できる形状で同様に使用できる。また、突出部２ｂ、挿入孔３ｂ、貫通孔４ｃも同様に円形である必要はない。
【００４４】
識別板４の表裏面に文字や記号を表示（油性ペン等で直接記入したり、表裏面に産地などを示す文字を金型成形したり、あるいは時には刻印で熱成形したり等）して、使用することができる。このことから商品管理だけではなく、もっと単純に、例えば値札や商品名を記載し、店頭に並べるなどといった使い方も可能になる。
【００４５】
実際の作業において、図７の状態、つまり止め具１と識別板４と係合した状態のものを大量に生産しておけば、その後の作業が雄部と雌部を合わせて押圧するだけになるため、作業の簡略化ができる。
【００４６】
また簡単な手作業で識別板４と止め具１を一体化することができ、その結果止め具の製造工程を簡略化でき、さらに止め具の製造コストを大幅に抑えることができる。
【００４７】
図９は実際に本発明を商品に取り付けた例としてカニ９のハサミの部分に止め具１を前記のような方法で取り付けた図を示す。魚に取り付ける場合は取り付け位置を尾ビレなどにしてもよい。またバンドでまとめることができるため、農作物などにも使用できる。このとき、バンドの長さや識別板の大きさを、農作物に止めたときにずれ落ちない値にする。バンドの長さや識別板の大きさを変えることにより、多種多様に使用できる。
【００４８】
尚、実施例として上げた数値は図９を元に算出した数値であって、実施例以外の商品に取り付ける場合は挙げた数値が取り付ける商品によって変わる。
【符号の説明】
【００４９】
１     止め具１
２     雄部２
３     雌部３
４     識別板４
５     バンド５
９     カニ９
２ａ   台板２ａ
２ｂ   突出部２ｂ
２ｃ   空間閉鎖部２ｃ
２ｄ   結合部２ｄ
２ｅ   支柱２ｅ
２ｆ   係止部２ｆ
２ｇ   係止部２ｇ
３ａ   台板３ａ
３ｂ   挿入孔３ｂ
３ｃ   結合爪３ｃ
３ｄ   結合爪３ｄ
３ｅ   結合爪３ｅ
３ｆ   溝３ｆ
４ａ   ＩＣチップ４ａ
４ｂ   アンテナ４ｂ
４ｃ   貫通孔４ｃ
５ａ   バンド厚み５ａ
【図１】
0005513331.tif 000002
【図２】
0005513331.tif 000003
【図３】
0005513331.tif 000004
【図４】
0005513331.tif 000005
【図５】
0005513331.tif 000006
【図６】
0005513331.tif 000007
【図７】
0005513331.tif 000008
【図８】
0005513331.tif 000009
【図９】
0005513331.tif 000010